(57)【特許請求の範囲】
【請求項１】
前身頃、股下部、後身頃の各部から形成され、
吸収体と、少なくとも一部が液透過性材料からなり、前記吸収体の上面を被覆するように配置されたトップシートと、液不透過性材料からなり、前記吸収体の下面を被覆するように配置されたバックシートと、撥水性シートからなり、立体的に起立可能に構成された便分離壁を備え、
前記便分離壁は、複数の撥水性シートの層間に、起立用伸縮材が伸長状態で挟み込まれて固定された構造のシート材からなり、前記トップシートの表面のうち、股下部領域及び後身頃領域の一部に、前記トップシートの便落下領域を包囲するように環状に起立しており、
前記シート材は、前記トップシートに対する固定端から変極部に至るまでの固定端側領域を形成する第１シートと、前記変極部から自由端に至るまでの自由端側領域を形成する第２シートとに区分され、前記第１シートが内向きに傾斜し、前記第２シートが外向きに傾斜しており、
前記起立用伸縮材としては、前記変極部に配置される第１伸縮材と、前記変極部より前記自由端側に配置される第２伸縮材とを備え、
前記第１シートは、一の端部に前記第１伸縮材が配置されたものであり、他の端部が前記トップシートの表面に固定されて、前記便分離壁の前記固定端を構成し、前記一の端部が前記第２シートの前記第２伸縮材が配置された端縁と反対側の端縁に沿って接合されて、前記便分離壁の前記変極部を構成し、
前記第２シートは、シートの端縁に沿うように前記第２伸縮材が配置されたものであり、前記第２伸縮材が非配置の端部と、前記第１シートの前記他の端部とが接合され、前記第２伸縮材が配置された端部は、他の部材と接合されることなく前記自由端を構成し、
前記第１伸縮材により発揮される収縮力Ｆ１が、前記第２伸縮材により発揮される収縮力Ｆ２に比して高く構成されている使い捨ておむつ。
【請求項２】
前記トップシートの表面のうち、前記便分離壁の固定端より外側の領域に、撥水性シートからなり、立体的に起立可能に構成された、一対の立体ギャザーが付設されており、
前記便分離壁の自由端に比して、前記立体ギャザーの自由端が高い位置に配置されている請求項１に記載の使い捨ておむつ。
【請求項３】
撥水性シートからなり、立体的に起立可能に構成された尿分離壁を備え、
前記尿分離壁は、複数の撥水性シートの層間に、起立用伸縮材が伸長状態で挟み込まれて固定された構造のシート材からなり、前記トップシートの表面のうち、前身頃領域及び股下部領域の一部に、前記トップシートの尿落下領域を包囲するように環状に起立しており、
前記シート材は、前記トップシートに対する固定端から変極部に至るまでの固定端側領域を形成する第１シートと、前記変極部から自由端に至るまでの自由端側領域を形成する第２シートとに区分され、前記第１シートが内向きに傾斜し、前記第２シートが外向きに傾斜しており、
前記起立用伸縮材としては、前記変極部に配置される第１伸縮材と、前記変極部より前記自由端側に配置される第２伸縮材とを備え、
前記第１シートは、一の端部に前記第１伸縮材が配置されたものであり、他の端部が前記トップシートの表面に固定されて、前記尿分離壁の前記固定端を構成し、前記一の端部が前記第２シートの前記第２伸縮材が配置された端縁と反対側の端縁に沿って接合されて、前記尿分離壁の前記変極部を構成し、
前記第２シートは、シートの端縁に沿うように前記第２伸縮材が配置されたものであり、前記第２伸縮材が非配置の端部と、前記第１シートの前記他の端部とが接合され、前記第２伸縮材が配置された端部は、他の部材と接合されることなく前記自由端を構成し、
前記第１伸縮材により発揮される収縮力Ｆ１が、前記第２伸縮材により発揮される収縮力Ｆ２に比して高く構成されている請求項１又は２に記載の使い捨ておむつ。
【発明の詳細な説明】
【技術分野】
【０００１】
本発明は、吸収体、トップシート、バックシートに加えて、トップシートの表面の便落下領域を包囲する便分離壁を備えた使い捨ておむつに関するものである。
【背景技術】
【０００２】
近年、乳幼児用、或いは高齢者・障害者用のおむつとして、吸収体と、少なくとも一部が液透過性材料からなり、吸収体の上面を被覆するように配置されたトップシートと、液不透過性材料からなり、吸収体の下面を被覆するように配置されたバックシートとを備えた使い捨ておむつが汎用されている。この使い捨ておむつは、トップシートの表面を着用者の肌に接するように宛がって使用することにより、着用者の排泄した尿はトップシートを透過して、吸収体によって吸収・保持されるとともに、防漏性に優れたバックシートによって、排泄物のおむつ外部への漏洩が防止されるものである。
【０００３】
しかしながら、前記のような構成の使い捨ておむつでは、尿はトップシートを透過するものの、便はその殆どがトップシートを透過せず、トップシート上に残存する。そして、トップシート上に残存した便（特に、軟便や水様便）はトップシートの前身頃側領域に向かって流動し、泌尿器や性器を汚してしまう場合があるという問題があった。
【０００４】
そこで、トップシートの表面のうち、便の排泄位置に相当する部分を立体ギャザー様の壁状部材で包囲し、他の部分から隔離した使い捨ておむつが提案されている（例えば、特許文献１及び２参照）。このような構造の使い捨ておむつでは、前記壁状部材によって便が前身頃側領域に向かって流動する現象を抑制することが期待できる。
【０００５】
【特許文献１】特開２０００−３２５３９４号公報
【特許文献２】特許第３５５００５６号公報
【発明の開示】
【発明が解決しようとする課題】
【０００６】
しかしながら、前記の使い捨ておむつは、壁状部材で包囲された内部空間（便収容空間）に、排泄された便を確実に収容することが困難であるという課題があった。
【０００７】
本発明は、このような従来技術の課題を解決するためになされたものであって、排泄された便を便収容空間に確実に収容することができる使い捨ておむつを提供するものである。
【課題を解決するための手段】
【０００８】
本発明者らは、前記のような従来技術の課題を解決するために鋭意検討した結果、従前の使い捨ておむつにおいては、便の排泄位置を包囲する壁状部材がおむつの内側に向かって傾斜するように（いわゆる内倒し式に）形成されているために、前記の諸問題が発生しているという知見を得た。そして、壁状部材を、壁の高さ方向の一定の位置から外側に折り返す等の方法で外倒しとすることによって、前記課題が解決されることに想到し、本発明を完成させた。具体的には、本発明により、以下の使い捨ておむつが提供される。
【０００９】
［１］  前身頃、股下部、後身頃の各部から形成され、吸収体と、少なくとも一部が液透過性材料からなり、前記吸収体の上面を被覆するように配置されたトップシートと、液不透過性材料からなり、前記吸収体の下面を被覆するように配置されたバックシートと、撥水性シートからなり、立体的に起立可能に構成された便分離壁を備え、前記便分離壁は、複数の撥水性シートの層間に、起立用伸縮材が伸長状態で挟み込まれて固定された構造のシート材からなり、前記トップシートの表面のうち、股下部領域及び後身頃領域の一部に、前記トップシートの便落下領域を包囲するように環状に起立しており、前記シート材は、前記トップシートに対する固定端から変極部に至るまでの固定端側領域を形成する第１シートと、前記変極部から自由端に至るまでの自由端側領域を形成する第２シートとに区分され、前記第１シートが内向きに傾斜し、前記第２シートが外向きに傾斜しており、前記起立用伸縮材としては、前記変極部に配置される第１伸縮材と、前記変極部より前記自由端側に配置される第２伸縮材とを備え、前記第１シートは、一の端部に前記第１伸縮材が配置されたものであり、他の端部が前記トップシートの表面に固定されて、前記便分離壁の前記固定端を構成し、前記一の端部が前記第２シートの前記第２伸縮材が配置された端縁と反対側の端縁に沿って接合されて、前記便分離壁の前記変極部を構成し、前記第２シートは、シートの端縁に沿うように前記第２伸縮材が配置されたものであり、前記第２伸縮材が非配置の端部と、前記第１シートの前記他の端部とが接合され、前記第２伸縮材が配置された端部は、他の部材と接合されることなく前記自由端を構成し、前記第１伸縮材により発揮される収縮力Ｆ１が、前記第２伸縮材により発揮される収縮力Ｆ２に比して高く構成されている使い捨ておむつ。
【００１４】
［２］  前記トップシートの表面のうち、前記便分離壁の固定端より外側の領域に、撥水性シートからなり、立体的に起立可能に構成された、一対の立体ギャザーが付設されており、前記便分離壁の自由端に比して、前記立体ギャザーの自由端が高い位置に配置されている前記［１］に記載の使い捨ておむつ。
【００１５】
［３］  撥水性シートからなり、立体的に起立可能に構成された尿分離壁を備え、前記尿分離壁は、複数の撥水性シートの層間に、起立用伸縮材が伸長状態で挟み込まれて固定された構造のシート材からなり、前記トップシートの表面のうち、前身頃領域及び股下部領域の一部に、前記トップシートの尿落下領域を包囲するように環状に起立しており、前記シート材は、前記トップシートに対する固定端から変極部に至るまでの固定端側領域を形成する第１シートと、前記変極部から自由端に至るまでの自由端側領域を形成する第２シートとに区分され、前記第１シートが内向きに傾斜し、前記第２シートが外向きに傾斜しており、前記起立用伸縮材としては、前記変極部に配置される第１伸縮材と、前記変極部より前記自由端側に配置される第２伸縮材とを備え、前記第１シートは、一の端部に前記第１伸縮材が配置されたものであり、他の端部が前記トップシートの表面に固定されて、前記尿分離壁の前記固定端を構成し、前記一の端部が前記第２シートの前記第２伸縮材が配置された端縁と反対側の端縁に沿って接合されて、前記尿分離壁の前記変極部を構成し、前記第２シートは、シートの端縁に沿うように前記第２伸縮材が配置されたものであり、前記第２伸縮材が非配置の端部と、前記第１シートの前記他の端部とが接合され、前記第２伸縮材が配置された端部は、他の部材と接合されることなく前記自由端を構成し、前記第１伸縮材により発揮される収縮力Ｆ１が、前記第２伸縮材により発揮される収縮力Ｆ２に比して高く構成されている前記［１］又は［２］に記載の使い捨ておむつ。
【発明の効果】
【００１６】
本発明の使い捨ておむつは、排泄された便を、便分離壁内部の便収容空間に確実に収容することができる。
【発明を実施するための最良の形態】
【００１７】
以下、本発明の使い捨ておむつを実施するための最良の形態について、２ピースタイプのパンツ型おむつを例として具体的に説明する。但し、本発明はその発明特定事項を備える使い捨ておむつを広く包含するものであり、以下の実施形態に限定されるものではない。なお、作図の都合上、図１Ｃ、図１Ｄ、図２Ｂ、図３Ｂ、図４Ｂ及び図４Ｃについては脚周り伸縮材を捨象した形で作図を行った。
【００１８】
本明細書において「パンツ型おむつ」というときは、図１Ａ及び図１Ｂに示す使い捨ておむつ１Ａのように、前身頃２と後身頃６の対応する側縁部同士（側縁部２ａ，６ａ、側縁部２ｂ，６ｂ）を接合することによって、接合部８、一つのウエスト周り開口部１０及び一対の脚周り開口部１２ａ，１２ｂが形成され、予めパンツ型に構成されたおむつを意味するものとする。
【００１９】
そして、「２ピースタイプ」とは、図１Ａ及び図１Ｂに示す使い捨ておむつ１Ａのように、着用者の排泄物を吸収し、保持する機能（吸収・保持機能）を担う吸収性本体１４と、着用者の身体を被包する機能（装着機能）を担う外装部材１６とから構成され、外装部材１６の内側に吸収性本体１４が配置されたタイプのおむつを意味するものとする。図１Ｃに示すように、吸収性本体１４は吸収体２２、トップシート１８及びバックシート２０を構成要素として備えた部材である。
【００２０】
更に、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２１】
［１］使い捨ておむつ：
本発明の使い捨ておむつは、図１Ａ〜図１Ｄに示す使い捨ておむつ１Ａのように、前身頃２、股下部４、後身頃６の各部から形成され、吸収体２２と、少なくとも一部が液透過性材料からなり、吸収体２２の上面を被覆するように配置されたトップシート１８と、液不透過性材料からなり、吸収体２２の下面を被覆するように配置されたバックシート２０と、撥水性シートからなり、立体的に起立可能に構成された便分離壁２４とを備えた使い捨ておむつである。
【００２２】
そして、本発明の使い捨ておむつは、便分離壁２４が、トップシート１８の表面のうち、股下部４領域及び後身頃６領域の一部に、トップシート１８の便落下領域を包囲するように環状に起立しており、便分離壁２４は、トップシート１８に対する固定端５２から変極部５４に至るまでの固定端側領域と、変極部５４から自由端５６に至るまでの自由端側領域とに区分され、自由端側領域が外向きに傾斜している点に特徴がある。
【００２３】
このように、便分離壁を壁の高さ方向の一定の位置から外向きに傾斜させると、便収容空間の開口部の間口が広がることになり、便が便収容空間の内部に落下し易くなる。また、便分離壁の自由端側（上端側）が外向きに傾斜する外倒し形状となっているため、その外倒し部分に便が落下した場合でも、便は分離壁の表面を伝って便収容空間の内部に落下する。従って、排泄された便を便収容空間の内部に確実に収容することができる。更に、便収容空間の開口部が外倒し形状となっていると、開口部が着用者の肌に密着し易くなる。従って、便分離壁と着用者の肌の間に空隙が生じ難くなり、便を横に漏らすことなく、便収容空間の内部に確実に導くことが可能となる。
【００２４】
なお、図１Ａ〜図１Ｄに示す使い捨ておむつ１Ａは、便分離壁２４の他、便分離壁２４と同様の構造を有する尿分離壁６０を備えたものであるが、本発明の使い捨ておむつはこのような形態に限定されるものではない。即ち、図６に示す使い捨ておむつ１Ｅのような、便分離壁２４のみを備え、尿分離壁を有しないものも当然に本発明の範囲に含まれる。
【００２５】
［１−１］便分離壁：
便分離壁は、排泄された便を一定の領域に隔離して収納するための壁状部材である。便分離壁を備えることによって、排泄された便がトップシートの表面上を自由に流動することが抑制される。従って、便によって泌尿器や性器、着用者の肌が汚染されるという問題を有効に防止することができる。
【００２６】
便分離壁は、撥水性シートによって構成されている。このような構成により、軟便や水様便に対する防漏性を向上させることも可能となる。撥水性材料としては、スパンボンドやカードエンボス等の不織布を用いることができる。中でも、ＳＭＳ（スパンボンド／メルトブロー／スパンボンド）、ＳＭＭＳ（スパンボンド／メルトブロー／メルトブロー／スパンボンド）等の不織布は耐水圧が高いという利点があり、好適に用いることができる。
【００２７】
便分離壁は、立体的に起立可能に構成されている。このような構成により、おむつの着用時において、便を一定の領域に隔離して収納するための内部空間（便収容空間）を形成することが可能となる。
【００２８】
立体的に起立可能な構造は、複数の撥水性シートの層間に、起立用伸縮材が伸長状態で挟み込まれて固定された構造のものである。「複数の撥水性シートの層間」には、１枚の撥水性シートを折り返した場合における折り返し部分の間も含まれる。
【００２９】
前記構造の便分離壁をトップシートの表面に固定すると、伸張状態で固定された起立用伸縮材が収縮し、便分離壁が立体的に起立する。起立用伸縮材は、一つの便分離壁につき、単数配置してもよいし複数配置してもよい。そして、便分離壁を確実に起立させるために、起立用伸縮材は便分離壁の自由端（壁の上端）近傍に配置する。
【００３０】
例えば、図１Ｂ及び図１Ｃに示す使い捨ておむつ１Ａは、複数の撥水性シート２４ａ，２４ｂの層間に、２本の起立用伸縮材３０（第１伸縮材３０ａ）が挟み込まれ、撥水性シート２４ｃの折り返し部分の間に、２本の起立用伸縮材３０（第２伸縮材３０ｂ）が挟み込まれて固定された構造の便分離壁２４を備えている。そして、第１伸縮材３０ａが便分離壁２４の変極部５４近傍に配置され、第２伸縮材３０ｂが、便分離壁２４の自由端５６近傍に配置されている例である。
【００３１】
起立用伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００３２】
前記のような起立用伸縮材は、撥水性シートに対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００３３】
起立用伸縮材は、便分離壁に十分な伸縮力を作用させるため、伸長状態で固定することが好ましい。起立用伸縮材が天然ゴムや合成ゴムから構成される場合には、１２０〜４００％の伸長状態で固定することが好ましく、２００〜３００％の伸長状態で固定することがより好ましい。このような範囲の伸長状態で固定することにより、十分な伸縮力を作用させることが可能となり、便分離壁を確実に起立させることができる。
【００３４】
便分離壁は、トップシートの表面のうち、股下部領域及び後身頃領域の一部に配置されている。トップシートの表面のうち、股下部領域及び後身頃領域（即ち、前身頃領域を除く領域）に便分離壁を形成することで、便が前身頃側に流動する現象を抑制することが可能となり、便によって泌尿器や性器が汚染されるという問題を回避することができる。
【００３５】
前記の効果を得るためには、便分離壁を股下部領域及び後身頃領域の「一部」に配置すればよく、股下部領域及び後身頃領域の「全部」に配置する必要はない。例えば、図１Ｂに示す使い捨ておむつ１Ａは、トップシート１８の表面のうち、股下部領域の後方領域及び後身頃領域の前方領域にのみ便分離壁２４が配置されており、股下部領域及び後身頃領域の全体に配置されてはいない。
【００３６】
なお、本明細書において、「股下部領域」というときは、各構成部材（例えば、トップシート等）のうち、おむつの股下部に相当する部分に存在する領域を意味するものとする。「前身頃領域」、「後身頃領域」も同様である。
【００３７】
便分離壁は、トップシートの便落下領域を包囲するように配置されている。このような構成により、排泄された便が便落下領域近傍に捕捉され、他の領域に拡散することが抑制される。
【００３８】
「便落下領域」とは、おむつを着用した際に、着用者の肛門の直下に位置する領域である。便分離壁は、その固定端の軌跡が便落下領域を他の領域から区画する形状に配置されていれば足り、必ずしも円環状に配置されていることを要しない。即ち、便分離壁は、例えば、円形状、楕円形状等の円環状の他、菱形状、矩形状等の多角形状に配置されていてもよい。
【００３９】
例えば、図１Ｂに示す使い捨ておむつ１Ａは、便分離壁２４を矩形状に配置した例である。この例では、４枚の立体ギャザー様の部材を、トップシート１８の便落下領域を包囲するように前後・左右に配置し、端部同士を接合することで、矩形状の便分離壁２４を構成している。
【００４０】
通常、便分離壁は、吸収体の直上のトップシート表面に配置される。但し、便分離壁配置部分の全てにおいて直下に吸収体が存在することまでは要しない。即ち、トップシートとバックシートとの貼り合わせ部分（フラップ部）にはみ出すように便分離壁が配置されていてもよい。
【００４１】
便分離壁は、固定端側領域が内向きに傾斜し、自由端側領域が外向きに傾斜している。換言すれば、便分離壁を、固定端から一定の高さまでは内倒しとし、その後、外倒しとする構造（いわゆる、内外倒し構造）を採る。このような構成により、便収容空間は、中途にくびれ部を有する空間となる。このくびれ部は便収容空間の蓋としても機能するため、一旦、便収容空間に収容された便が再度外側に漏れ出してしまうことが少なくなる。また、便収容空間に収容された便が着用者の肌に付着し難くなるという効果を得ることができる。
【００４２】
便分離壁を内外倒し構造とするための方法としては、便分離壁を、複数の撥水性シートの層間に、少なくとも２本の起立用伸縮材が伸長状態で挟み込まれて固定された構造とし、この２本の伸縮材により発揮される収縮力に差をつける方法が挙げられる。
【００４３】
具体的には、便分離壁が、複数の撥水性シートの層間に、起立用伸縮材が伸長状態で挟み込まれて固定されたシート材からなり、起立用伸縮材として、変極部に配置される第１伸縮材と、変極部より自由端側に配置される第２伸縮材とを備え、第１伸縮材により発揮される収縮力Ｆ１が、第２伸縮材により発揮される収縮力Ｆ２に比して高く構成されている。
【００４４】
この構造によれば、第１伸縮材を配置した変極部が第２伸縮材を配置した自由端側よりも大きく収縮するため、便分離壁を内外倒し構造とすることができる。即ち、便分離壁の変極部（第１伸縮材の配置部位）は便分離壁の他の部分より大きく絞られた状態となる。従って、トップシートに対する固定端から変極部に至るまでの固定端側領域は内向きに傾斜し、変極部から自由端に至るまでの自由端側領域は外向きに傾斜する構造を形成することができる。
【００４５】
収縮力は、伸縮材の材質、伸縮材を固定する際の伸張率、伸縮材の繊度（太さ）、伸縮材の配置本数等により変化する。従って、自由端側に比して、変極部に配置する伸張率を大きく、繊度を太く、配置本数を増やす等することにより、変極部に配置される第１伸縮材により発揮される収縮力Ｆ１が、変極部より自由端側に配置される第２伸縮材により発揮される収縮力Ｆ２に比して高くすることができる。
【００４６】
収縮力Ｆ１，Ｆ２は、引張試験機によって測定した強度の値を用いる。具体的には、便分離壁から測定部位を切り出し、収縮した状態の便分離壁が伸びきった状態となるまで垂直方向に伸展し、撥水性シート自体の強度が発現する前の強度を、収縮力Ｆ１，Ｆ２とする。引張試験機としては、例えば、東洋精機製作所社製のストログラフ（商品名）、オリエンテック社製のテンシロン（商品名）を用いることができる。
【００４７】
伸張率の値は特に限定されないが、第１伸縮材と第２伸縮材が同じ材質、同じ繊度である場合、第１伸縮材の伸張率を１５０〜３００％、第２伸縮材の伸張率を１２０〜２５０％とし、第１伸縮材を第２伸縮材よりも５０〜１００％高い伸張率で固定することが好ましい。
【００４８】
また、繊度の値も特に限定されないが、第１伸縮材と第２伸縮材を同じ伸張率で固定した場合、第１伸縮材の繊度を５００〜１２００ｄｔｅｘ、第２伸縮材の繊度を４００〜９００ｄｔｅｘとし、第１伸縮材を第２伸縮材よりも繊度が５０〜３００ｄｔｅｘだけ高いゴムで構成することが好ましい。
【００４９】
例えば、図１Ｃ及び図１Ｄに示す使い捨ておむつ１Ａは、伸縮材の材質、伸縮材の繊度（太さ）、伸縮材の配置本数については同様の構成とし、伸縮材を固定する際の伸張率に差をつけることによって、収縮力Ｆ１を収縮力Ｆ２より高くした例である。
【００５０】
使い捨ておむつ１Ａの便分離壁２４は、変極部５４に配置される２本の第１伸縮材３０ａは伸張率２５０％、変極部５４より自由端５６側に配置される２本の第２伸縮材３０ｂは伸張率１８０％で固定されている。この伸張率の差によって、便分離壁２４はトップシート１８に対する固定端５２から変極部５４に至るまでの固定端側領域は内向きに傾斜し、変極部５４から自由端５６に至るまでの自由端側領域は外向きに傾斜している。
【００５１】
なお、「変極部」とは、壁の傾斜方向の内向きから外向きに変化する変わり目の部分を意味する。例えば、図１Ｃ及び図１Ｄに示す使い捨ておむつ１Ａは、変極部５４が湾曲形状に形成されている。但し、壁の傾斜方向が変化している限り、変極部の形状は湾曲形状に限られず、屈曲形状であってもよい。
【００５２】
便分離壁を内外倒し構造とする方法としては、図１Ｃに示すように、便分離壁２４を固定端５２側領域と自由端５６側領域を別のシート材で構成する。
【００５３】
より具体的には、図１Ｃ及び図１Ｄに示す使い捨ておむつ１Ａのように、便分離壁２４は、シート材として、固定端５２側領域を形成する第１シート（図示の例では撥水性シート２４ａ，２４ｂ）と、自由端５６側領域を形成する第２シート（図示の例では撥水性シート２４ｃ）とを有し、第１シートは、一の端部に第１伸縮材３０ａが配置されたものであり、第２シートは、シートの端縁に沿うように第２伸縮材３０ｂが配置されたものである。そして、第１シートは、他の端部がトップシート１８の表面に固定されて、便分離壁２４の固定端５２を構成し、一の端部が第２シートの第２伸縮材３０ｂが配置された端縁と反対側の端縁に沿って接合されて、便分離壁２４の変極部５４を構成している。
【００５４】
また、図１Ｂに示す使い捨ておむつ１Ａのように、複数の立体ギャザー様部材を用いて便分離壁を形成するのではなく、図２に示す使い捨ておむつ１Ｂ又は図３に示す使い捨ておむつ１Ｃのように、便分離壁２４を固定端５２側領域と自由端５６側領域を別のシート材で構成することに加え、その「別のシート材」の各々が、中央部に貫通孔が形成された一体シートであることが好ましい。このような構造は、貫通孔の形状を変えることで、開口部を所望形状に形成することができるため好ましい。例えば、図２Ａに示すように、開口部２８を楕円形状とすると、便を便分離壁２４の内側に導き易いという利点がある。
【００５５】
図２Ａ及び図２Ｂに示す使い捨ておむつ１Ｂは、固定端５２側領域が、複数の撥水性シート２４ａ，２４ｂの層間に、起立用伸縮材３０（第１伸縮材３０ａ）が挟み込まれて固定された構造のシート材から構成されている。このシート材は矩形状に形成され、中央部に楕円形状の貫通孔が形成されている。一方、自由端５６側領域は、複数の撥水性シート２４ｄ，２４ｅの層間に、起立用伸縮材３０（第２伸縮材３０ｂ）が挟み込まれて固定された構造のシート材から構成されている。このシート材は矩形状に形成され、中央部に楕円形状の貫通孔が形成されている。
【００５６】
図２Ａ及び図２Ｂに示す使い捨ておむつ１Ｂは、撥水性シート２４ｄ，２４ｅの貫通孔の縁部が、撥水性シート２４ａ，２４ｂの貫通孔の縁部よりも内側にはみ出すように両シート材を接合した例である（接合部４６，４８）。この例では、撥水性シート２４ａと撥水性シート２４ｅとが当接するように接合されている。
【００５７】
図３Ａ及び図３Ｂに示す使い捨ておむつ１Ｃも、図２Ａ及び図２Ｂに示す使い捨ておむつ１Ｂと同様の構成であるが、撥水性シート２４ａ，２４ｂの貫通孔の縁部が、撥水性シート２４ｄ，２４ｅの貫通孔の縁部よりも内側にはみ出すように両シート材を接合した例である（接合部４６，４８）。
【００６０】
図４Ａ〜図４Ｃに示す使い捨ておむつ１Ｄは、複数の撥水性シート２４ａ，２４ｂの層間に、２本の起立用伸縮材３０が挟み込まれて固定された構造の便分離壁２４を備えており、起立用伸縮材３０が、便分離壁２４の自由端５６近傍に配置されている。そして、便分離壁２４の自由端側領域が外側に折り返され、その折り返し部分が固定端側領域の一部に固定されている例である。この例では、図１Ｂ〜図１Ｄに示す使い捨ておむつ１Ａと同様に、４枚の立体ギャザー様の部材を前後・左右に配置し、端部同士を接合することで、矩形状の便分離壁２４を構成している。そして、前後を構成する立体ギャザー様部材の中央部において、折り返し部分を固定する接合部５８が形成されている。
【００６１】
［１−２］尿分離壁：
本発明の使い捨ておむつは、排泄された尿を一定の領域に隔離して収納するための尿分離壁を備えたものであることが好ましい。この尿分離壁は、既に述べた便分離壁に準じて構成することができる。
【００６２】
例えば、図１Ｂ及び図１Ｄに示す使い捨ておむつ１Ａは、撥水性シート６０ａ，６０ｂ，６０ｃからなり、立体的に起立可能に構成された尿分離壁６０を備えている。尿分離壁６０は、トップシート１８の表面のうち、前身頃領域及び股下部領域の一部に、トップシート１８の尿落下領域を包囲するように配置されている。そして、尿分離壁６０は、トップシート１８に対する固定端５２から変極部５４に至るまでの固定端側領域は内向きに傾斜し、変極部５４から自由端５６に至るまでの自由端側領域は外向きに傾斜している。
【００６３】
図１Ｂに示す使い捨ておむつ１Ａは、尿分離壁６０を矩形状に配置した例である。この例では、４枚の立体ギャザー様の部材を、トップシート１８の尿落下領域を包囲するように前後・左右に配置し、端部同士を接合することで、矩形状の尿分離壁６０を構成している。なお、「尿落下領域」とは、おむつを着用した際に、着用者の泌尿器の直下に位置する領域である。
【００６４】
また、図１Ｂ及び図１Ｄに示す使い捨ておむつ１Ａにおいては、尿分離壁６０は、複数の撥水性シート６０ａ，６０ｂの層間に、又は撥水性シート６０ｃの折り返し部分の層間に起立用伸縮材６４（第１伸縮材６４ａ、第２伸縮材６４ｂ）が挟み込まれて固定された構造となっている。そして、変極部５４に配置される第１伸縮材６４ａは伸張率２５０％で、変極部５４より自由端５６側に配置される第２伸縮材６４ｂは伸張率１８０％で固定されている。
【００６５】
図２Ａに示す使い捨ておむつ１Ｂは、便分離壁２４と同様の構造を有する尿分離壁６０を備えている。即ち、固定端側領域が、撥水性シート６０ａを含む複数の撥水性シートの層間に、起立用伸縮材（第１伸縮材）が挟み込まれて固定された構造のシート材から構成されている。このシート材は矩形状に形成され、中央部に楕円形状の貫通孔が形成されている。一方、自由端側領域は、撥水性シート６０ｄを含む複数の撥水性シートの層間に、起立用伸縮材（第２伸縮材６４ｂ）が挟み込まれて固定された構造のシート材から構成されている。このシート材は矩形状に形成され、中央部に楕円形状の貫通孔が形成されている。
【００６６】
図２Ａ及び図２Ｂに示す使い捨ておむつ１Ｂは、撥水性シート６０ｄの貫通孔の縁部が、撥水性シート６０ａの貫通孔の縁部よりも内側にはみ出すように両シート材を接合した例である。
【００６７】
図３Ａ及び図３Ｂに示す使い捨ておむつ１Ｃも、便分離壁２４と同様の構造を有する尿分離壁６０を備えている。但し、図２Ａ及び図２Ｂに示す使い捨ておむつ１Ｂの尿分離壁６０とは異なり、撥水性シート６０ａの貫通孔の縁部が、撥水性シート６０ｄの貫通孔の縁部よりも内側にはみ出すように両シート材が接合されている。
【００６８】
更に、図４Ａ及び図４Ｃに示す使い捨ておむつ１Ｄは、尿分離壁６０の自由端側領域が外側に折り返され、その折り返し部分が固定端側領域の一部に固定されている。この例では、図１Ｃ及び図１Ｄに示す使い捨ておむつ１Ａと同様に、４枚の立体ギャザー様の部材を前後・左右に配置し、端部同士を接合することで、矩形状の尿分離壁６０を構成している。そして、前後を構成する立体ギャザー様部材の中央部において、折り返し部分を固定する接合部５８が形成されている。
【００６９】
［１−３］立体ギャザー：
立体ギャザーは、着用者の排泄した尿の横漏れを防止するための部材であり、立体的に起立可能なように構成された防漏壁である。この立体ギャザーを形成することにより、スキンコンタクトシートの上に尿が排泄され、スキンコンタクトシートを伝って尿が拡散してしまった場合でも、立体ギャザーが防波堤となり、おむつの脚周り開口部等からの漏れ（いわゆる「横漏れ」）を有効に防止することができる。
【００７０】
本発明の使い捨ておむつにおいては、トップシートの表面のうち、便分離壁の固定端より外側の領域に、撥水性シートからなり、立体的に起立可能に構成された、一対の立体ギャザーが付設されていることが好ましい。本発明の使い捨ておむつにおいては、一対の立体ギャザーが形成されていることが好ましいが、二対以上形成されていてもよい。
【００７１】
また、立体ギャザーを付設する場合には、便分離壁の自由端に比して、立体ギャザーの自由端が高い位置に配置されていることが好ましい。このような構造により、万が一、排泄された便が便分離壁の内部空間に捕捉されず、便分離壁の外部に落下した場合でも、便のおむつ外部への漏洩が回避される。
【００７２】
立体ギャザーの自由端は、便分離壁の自由端より１０〜４０ｍｍ高い位置に配置されていることが好ましい。より具体的には、便分離壁の高さを１０〜６０ｍｍ、立体ギャザーの高さを２０〜１００ｍｍに構成することが好ましい。
【００７３】
立体ギャザーの構成は、従来の使い捨ておむつ、その他の吸収性物品に使用される構成を採用することができる。例えば、シート材の一部に伸縮材（立体ギャザー伸縮材）を配置し、その立体ギャザー伸縮材によってシート材にギャザー（襞）を形成したもの等を好適に用いることができる。
【００７４】
立体ギャザーを構成するシート材としては、立体ギャザーの防漏性を向上させるという観点から、撥水性材料を用いることが好ましい。立体ギャザーの種類としては、（１）おむつの内側に向かって傾倒する内倒しギャザー、（２）おむつの外側に向かって傾倒する外倒しギャザー、（３）高さ方向の一部に、曲げ部や折り返し部を形成した立体ギャザー（Ｃ折りギャザーやＺ折りギャザー等）等を挙げることができる。これらの中では、防漏性が高い点において内倒しギャザーが好ましい。
【００７５】
なお、立体ギャザーは、吸収体の両側縁全域に渡って形成することが好ましいが、尿の横漏れを防止するという目的から、少なくともおむつの股下部に相当する部分に配置されていればよい。
【００７６】
「吸収体の各側縁に沿って」とは、概ね吸収体の側縁と同方向に付設されていることを意味する。但し、吸収体の側縁は、脚周り開口部に沿って曲線的に形成される場合もあり、直線的に形成されているとは限らない。従って、必ずしも吸収体の側縁に接するように付設されている必要はなく、吸収体の側縁と同一の軌跡を描くように付設されている必要もない。通常は、吸収体の形状に拘らず、直線的に支持壁を配置することが多い。例えば、図１Ｂに示す使い捨ておむつ１Ａのように、立体ギャザー２６（２６ａ，２６ｂ）を、おむつの前後方向に直線的に配置する。
【００７７】
［１−４］吸収体：
吸収体は、着用者の尿を吸収し、保持するための部材である。吸収体は、着用者の尿や体液を吸収し保持する必要から、吸収性材料によって構成される。
【００７８】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００７９】
これらの吸収性材料は、通常、単層又は複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００８０】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。
【００８１】
吸収体は、その全体が親水性シートによって包み込まれていることが好ましい。このような構成は、吸収体からＳＡＰが漏洩することを防止し、吸収体に形状安定性を付与することができるという利点がある。
【００８２】
吸収体の形状については特に制限はないが、従来の使い捨ておむつ、その他の吸収性物品において使用される形状、例えば、矩形状、砂時計型、ひょうたん型、Ｔ字型等を挙げることができる。
【００８３】
［１−５］トップシート：
トップシートは、吸収体の上面（おむつの装着時において着用者の肌側に位置する面）を被覆するように配置されるシートである。トップシートは、その下面側に配置された吸収体に、着用者の尿を吸収させる必要から、その少なくとも一部（全部又は一部）が液透過性材料により構成される。
【００８４】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００８５】
トップシートは単一のシート材によって構成されていてもよいが、複数のシート材によって構成されていてもよい。例えば、後述するテープ型おむつにおいては、おむつの中央部には液透過性材料からなるトップシート（センターシート）を配置し、おむつのサイドフラップ部分には撥水性材料からなるトップシート（サイドシート）を配置する形態がよく利用される。
【００８６】
［１−６］バックシート：
バックシートは、吸収体の下面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００８７】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００８８】
なお、バックシートには、その外表面側にシート材（カバーシート）を貼り合わせてもよい。このカバーシートは、バックシートを補強し、バックシートの手触り（触感）を良好なものとするために用いられる。
【００８９】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００９０】
［１−７］吸収性本体：
２ピースタイプのパンツ型おむつにおいては、トップシート、バックシート及び吸収体を、吸収・保持機能を担う「吸収性本体」という一つの部材として構成し、これとは別個に製造された外装部材と接合することにより使い捨ておむつを構成する。この吸収性本体は、生理用ナプキン等と同様に、吸収体の上面側にトップシート、下面側にバックシートが配置されたものであり、トップシートとバックシートとの間に吸収体が介装された構造となっている。例えば、図１Ｃに示す使い捨ておむつ１Ａは、トップシート１８とバックシート２０の間に吸収体２２を挟みこみ、吸収体２２の周縁部を封着することによって、トップシート１８とバックシート２０との間に吸収体２２が介装された構造の吸収性本体１４を構成した例である。
【００９１】
吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。吸収性本体は、例えばホットメルト接着剤等を用いて、外装部材に対して固定することができる。
【００９２】
［１−８］外装部材：
外装部材は、着用者の身体を被包するための装着機能を担う部材であり、具体的には、前身頃、股下部及び後身頃の各部を形成するシート状の部材である。
【００９３】
２ピースタイプのパンツ型おむつでは、着用者の排泄物を吸収し、保持する吸収・保持機能については、専ら吸収性本体が果たすことになるので、外装部材を構成する材料として液不透過性材料を用いる必要はない。外装部材を構成する材料としては、例えば、ポリエチレン、ポリプロピレン、ポリエステル、その他の熱可塑性樹脂からなる合成繊維によって構成された不織布等を挙げることができる。
【００９４】
そして、外装部材は、脚周り伸縮材等を挟み込んだ状態で固定するために、２枚以上の不織布を貼り合わせて構成されることが多い。例えば、図１Ａ〜図１Ｃに示す使い捨ておむつ１Ａは、外装部材１６を２枚の不織布から構成し、その２枚の不織布の間に脚周り伸縮材４０、ウエスト周り伸縮材４２及び腹周り伸縮材４４を挟み込み固定した例である。
【００９５】
［１−９］各種伸縮材：
パンツ型の使い捨ておむつにおいては、脚周り伸縮材を配置し、ウエスト周り伸縮材を配置することが一般的であり、更に腹周り伸縮材を配置することが好ましい。
【００９６】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００９７】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００９８】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００９９】
図１Ａ及び図１Ｂに示す使い捨ておむつ１Ａは、脚周り開口部１２ａ，１２ｂの周縁には複数本の脚周り伸縮材４０を配置し、ウエスト周り開口部１０の周縁にはウエスト周り開口部１０を取り囲むように複数本のウエスト周り伸縮材４２を配置し、更に、ウエスト周り開口部１０と脚周り開口部１２ａ，１２ｂとの間の部分（即ち、着用者の腹周りに相当する部分）には、着用者の腹周りを取り囲むように複数本の腹周り伸縮材４４を配置した例である。なお、図１Ｂには示されていないが、脚周り伸縮材４０は前身頃２側、後身頃６側で各々Ｕ字型を描くように配置されており、股下部４の中央において切断されている。
【０１００】
これらの伸縮材については、既に述べた起立用伸縮材と同様の構成を採用することができる。そして、ギャザーの収縮の程度等を勘案した上で、構成材料、その材料の伸長率、固定時の伸長状態等を決定すればよい。
【０１０１】
［２］製造方法：
以下、本発明の使い捨ておむつを製造する方法の一例を、図１Ａ〜図１Ｄに示す使い捨ておむつ１Ａ（２ピースタイプのパンツ型おむつ）を製造する場合の例により説明する。特に、便分離壁の作製工程については、図５の工程図により詳細に説明する。なお、図面作成の都合上、図５においては、便分離壁のみを示し、尿分離壁は捨象した。実際には、尿分離壁は便分離壁と同様の方法により作製した。
【０１０２】
［２−１］便分離壁、尿分離壁の製造：
図５に示すように、ホットメルト接着剤を塗布した撥水性シート２４ｂの表面に、第１伸縮材３０ａを配置・固定し、その上面に撥水性シート２４ａを貼り合わせて、便分離壁の固定端側領域となる部分を形成する（［Ｉ］図）。この際、図示のように、撥水性シート２４ｂが撥水性シート２４ａからはみ出して単層となっている部分を形成しておくと、貼り合わせ部分の柔軟性を確保でき、形状追従性が損なわれないため好ましい（但し、必須ではない。）。撥水性シート２４ｂが単層となっている部分には、ホットメルト接着剤を塗布し、接合部４６となる部分を形成する（［ＩＩ］図）。
【０１０３】
一方、その一部にホットメルト接着剤を塗布した撥水性シート２４ｃの表面に、第２伸縮材３０ｂを配置・固定する（［ＩＩＩ］図）。その後、撥水性シート２４ｃの一端を折り返し、第２伸縮材３０ｂを被覆するように、折り返し部分を貼り合わせて、便分離壁の自由端側領域となる部分を形成する（［ＩＶ］図）。
【０１０４】
次いで、便分離壁の固定端側領域となる部分と、自由端側領域となる部分とを貼り合わせて接合部４６を形成し、立体ギャザー様部材７０を形成する（［Ｖ］図）。立体ギャザー様部材７０は、第１伸縮材３０ａの部分で折り返し、固定端側領域７０ａと自由端側領域７０ｂを形成する（［ＶＩ］図）。
【０１０５】
トップシート１８の表面の一部に枠状にホットメルト接着剤を塗布して、接合部４８となる部分を形成する（［ＶＩＩ］図）。この部分に、４枚の立体ギャザー様部材７０を貼り合わせて、接合部４８を形成する。この際、４枚の立体ギャザー様部材７０を、トップシート１８の便落下領域を包囲するように前後・左右に配置し、端部同士を接合することで、矩形状の便分離壁２４が付設されたトップシート１８を得る（［ＶＩＩＩ］図）。図示されない尿分離壁も同様に形成する。
【０１０６】
［２−２］吸収性本体の形成：
図５に示すように、バックシート２０の表面の一部に枠状にホットメルト接着剤を塗布して、接合部５０となる部分を形成するとともに、バックシート２０の中央に、図示されない親水性シートに包まれた吸収体２２を載置する（［ＩＸ］図）。この上面に、便分離壁２４が付設されたトップシート１８を貼り合わせて、接合部５０を形成し、便分離壁２４が付設された吸収性本体１４を得る（［Ｘ］図）。これにより、吸収体２２の周縁部がトップシート１８とバックシート２０とで挟み込まれるように封着される。
【０１０７】
［２−３］立体ギャザーの製造：
撥水性シート３２ａ（３２ｂ）の一方の端部を折り返し、その折り返し部分に、２本の起立用伸縮材３６ａ，３６ｂ（３６ｃ，３６ｄ）を挟み込んだ状態で貼り合わせることによって、立体ギャザー２６ａ（２６ｂ）を得る。
【０１０８】
［２−４］吸収性本体への立体ギャザーの付設：
トップシート１８の表面に、立体ギャザー２６ａ，２６ｂを固定し、吸収性本体１４の側縁を挟み込むように、立体ギャザー２６ａ，２６ｂを貼り合わせ、吸収性本体１４に対し、立体ギャザー２６ａ，２６ｂを付設する。
【０１０９】
［２−５］外装部材の製造：
まず、外装部材１６となる不織布を２枚用意し、このうちの１枚の不織布の上面に、ウエスト周り伸縮材４２、腹周り伸縮材４４及び脚周り伸縮材４０を配置し接着固定する。そして、この上面に、更にもう１枚の不織布を積層し固定することにより、２枚の不織布の間に、ウエスト周り伸縮材４２、腹周り伸縮材４４及び脚周り伸縮材４０が介装された外装部材１６を得る。なお、脚周り伸縮材４０については、股下部４中央の部分のみを非接着の状態としておき、その非接着部分を切断することにより、スナップバックさせる。
【０１１０】
［２−６］使い捨ておむつの製造：
外装部材１６の股下部近傍に、吸収性本体１４を配置し固定する。次いで、吸収性本体１４を内側にして、前身頃２と後身頃６とを合わせるように二つ折りにし、前身頃２と後身頃６とをヒートシール等の手段により接合し、接合部８を形成することによって、図１Ａ〜図１Ｄに示す使い捨ておむつ１Ａを製造することができる。
【０１１１】
前記のような一連の工程は、機械的な手段によって連続的に行うことが可能である。例えば、長尺のシート材や伸縮材をローラーから連続的に送出する等の方法・装置を採用することにより、使い捨ておむつの連続製造が可能となり、生産性の向上に資する。
【０１１２】
［３］本発明の適用対象：
本発明の使い捨ておむつの適用対象は、前記２ピースタイプのパンツ型おむつに限られるものではなく、例えば、１ピースタイプのパンツ型おむつやテープ型おむつにも適用することができる。即ち、これらの使い捨ておむつにおいても、トップシートの表面よりも上方にスキンコンタクトシートを配置し、少なくとも一対の立体ギャザーを形成することにより、本発明の使い捨ておむつの効果を享受することができる。
【０１１３】
なお、「１ピースタイプ」とは、２ピースタイプと同様に、トップシート、バックシート、吸収体を備えているが、吸収・保持機能を担う吸収体がトップシートとバックシートの間に介装（内蔵）され、装着機能を担うトップシート及び／又はバックシートと一体的に構成されたタイプのおむつを意味するものとする。
【０１１４】
また、「テープ型おむつ」とは、トップシートと、バックシートと、両シートの間の少なくとも一部に介装された吸収体と、装着用のテープファスナーとを備え、テープファスナーによっておむつの前身頃と後身頃とを相互に固定し得る使い捨ておむつを意味するものとする。「テープ型おむつ」にも、パンツ型おむつと同様に「１ピースタイプ」と「２ピースタイプ」が存在するが、本発明の使い捨ておむつはいずれのタイプのテープ型おむつにも適用可能である。
【産業上の利用可能性】
【０１１５】
本発明の使い捨ておむつは、乳幼児用、或いは介護を必要とする高齢者や障害者等の成人用のおむつとして好適に利用することができる。そして、本発明の使い捨ておむつは、排泄された便の収容能力に優れるので、排泄物の量が多い、成人用の使い捨ておむつとして特に好適に用いることができる。
【図面の簡単な説明】
【０１１６】
【図１Ａ】本発明の使い捨ておむつの一の実施形態を示す概略斜視図であり、おむつの前方から見た状態を示す概略斜視図である。
【図１Ｂ】本発明の使い捨ておむつの一の実施形態を示す平面図であり、図１Ａに示す使い捨ておむつを展開し、おむつの吸収性本体側から見た状態を示す平面図である。
【図１Ｃ】本発明の使い捨ておむつの一の実施形態を示す概略断面図であり、図１Ｂに示す使い捨ておむつをＸ−Ｘ’線に沿って切断した断面を示す概略断面図である。
【図１Ｄ】本発明の使い捨ておむつの一の実施形態を示す概略断面図であり、図１Ｂに示す使い捨ておむつをＹ−Ｙ’線に沿って切断した断面を示す概略断面図である。
【図２Ａ】本発明の使い捨ておむつの別の実施形態を示す平面図であり、使い捨ておむつを展開し、おむつの吸収性本体側から見た状態を示す平面図である。
【図２Ｂ】本発明の使い捨ておむつの別の実施形態を示す概略断面図であり、図２Ａに示す使い捨ておむつの便分離壁形成部をＸ−Ｘ’線に沿って切断した断面を示す概略断面図である。
【図３Ａ】本発明の使い捨ておむつの更に別の実施形態を示す平面図であり、使い捨ておむつを展開し、おむつの吸収性本体側から見た状態を示す平面図である。
【図３Ｂ】本発明の使い捨ておむつの更に別の実施形態を示す概略断面図であり、図３Ａに示す使い捨ておむつの便分離壁形成部をＸ−Ｘ’線に沿って切断した断面を示す概略断面図である。
【図４Ａ】使い捨ておむつの実施形態を示す平面図であり、使い捨ておむつを展開し、おむつの吸収性本体側から見た状態を示す平面図である。
【図４Ｂ】使い捨ておむつの実施形態を示す概略断面図であり、図４Ａに示す使い捨ておむつをＸ−Ｘ’線に沿って切断した断面を示す概略断面図である。
【図４Ｃ】使い捨ておむつの実施形態を示す概略断面図であり、図４Ａに示す使い捨ておむつをＹ−Ｙ’線に沿って切断した断面を示す概略断面図である。
【図５】本発明の使い捨ておむつの製造工程を示す工程図であり、便分離壁を備えた吸収性本体を得る工程を示す工程図である。
【図６】本発明の使い捨ておむつの一の実施形態を示す平面図であり、使い捨ておむつを展開し、おむつの吸収性本体側から見た状態を示す平面図である。
【符号の説明】
【０１１７】
１Ａ，１Ｂ，１Ｃ，１Ｄ，１Ｅ：使い捨ておむつ、２：前身頃、２ａ，２ｂ：側縁部、４：股下部、６：後身頃、６ａ，６ｂ：側縁部、８：接合部、１０：ウエスト周り開口部、１２，１２ａ，１２ｂ：脚周り開口部、１４：吸収性本体、１６：外装部材、１８：トップシート、２０：バックシート、２２：吸収体、２４：便分離壁、２４ａ，２４ｂ，２４ｃ，２４ｄ，２４ｅ：撥水性シート、２６，２６ａ，２６ｂ：立体ギャザー、２８：開口部、３０：起立用伸縮材、３０ａ：第１伸縮材、３０ｂ：第２伸縮材、３２，３２ａ，３２ｂ：撥水性シート、３４：自由端、３６，３６ａ，３６ｂ，３６ｃ，３６ｄ：起立用伸縮材、３８：固定端、４０：脚周り伸縮材、４２：ウエスト周り伸縮材、４４：腹周り伸縮材、４６，４８，５０：接合部、５２：固定端、５４：変極部、５６：自由端、５８：接合部、６０：尿分離壁、６０ａ，６０ｂ，６０ｃ，６０ｄ：撥水性シート、６２：開口部、６４：起立用伸縮材、６４ａ：第１伸縮材、６４ｂ：第２伸縮材、７０：立体ギャザー様部材、７０ａ：固定端側領域、７０ｂ：自由端側領域。
【図１Ａ】
0004996524.tif 000002
【図１Ｂ】
0004996524.tif 000003
【図１Ｃ】
0004996524.tif 000004
【図１Ｄ】
0004996524.tif 000005
【図２Ａ】
0004996524.tif 000006
【図２Ｂ】
0004996524.tif 000007
【図３Ａ】
0004996524.tif 000008
【図３Ｂ】
0004996524.tif 000009
【図４Ａ】
0004996524.tif 000010
【図４Ｂ】
0004996524.tif 000011
【図４Ｃ】
0004996524.tif 000012
【図５】
0004996524.tif 000013
【図６】
0004996524.tif 000014